【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
音響再生システムであって、
電気音響変換手段と、
複数チャンネルの録音に応じて前記電気音響変換手段を駆動するための変換器駆動手段と
を備え、
前記変換器駆動手段は、録音空間内の聴取者の耳の位置に対する前記電気音響変換手段の特性及び所望の位置に対応して、前記聴取者の耳の位置に存在する局所的な音場を近似した音場を前記聴取者の位置に再生するように構成されたフィルタ手段を備え、
前記電気音響変換手段は、
中間音響放射チャンネルを提供する第一の音響放射手段と、
左音響放射チャンネルを提供する第二の音響放射手段と、
右音響放射チャンネルを提供する第三の音響放射手段と
を備え、
前記第一の音響放射手段は、第二及び第三の音響放射手段の間に位置し、
前記第一、第二及び第三の音響放射手段はそれぞれ、周波数帯域を放射するように配置され、
前記第二及び第三の音響放射手段のうちの少なくとも一つは、異なる方位角位置の各々から異なる周波数が放射されるように配置され、前記第一の音響放射手段の近くから放射される周波数帯域が、前記第一の音響放射手段から離れたところから放射される周波数帯域に含まれる周波数よりも高い周波数を含み、前記第一の音響放射手段が、同一の方位角位置を含む所定の領域から周波数帯域を放射するように配置されている
ことを特徴とする音響再生システム。
【請求項２】
請求項１に記載の音響再生システムであって、
前記第二及び第三の音響放射手段のうちの少なくとも一つは、それぞれの方位角間隔または領域上に配置され、（ｉ）前記第二の放射手段と（ｉｉ）前記第三の放射手段とのうちの少なくとも一つの、異なる方位の部分は、異なる周波数の音、または異なる周波数帯域の音を放射する
ことを特徴とする音響再生システム。
【請求項３】
請求項１または請求項２に記載の音響再生システムであって、
前記第二及び第三の音響放射手段のうちの少なくとも一つは、弓形に配置されている
ことを特徴とする音響再生システム。
【請求項４】
請求項１から３のいずれかに記載の音響再生システムであって、
前記第二及び第三の音響放射手段のうちの少なくとも一つは、複数の異なる位置にある音響放射器を備え、使用時にはそれぞれの音響放射器が、前記第一の音響放射手段の近くから放射される周波数帯域と、前記第一の音響放射手段から離れたところから放射される周波数帯域との一方に対応する周波数または周波数帯域を放射する
ことを特徴とする音響再生システム。
【請求項５】
請求項１から４のいずれかに記載の音響再生システムであって、
前記第一の音響放射手段は、前記第二及び第三の音響放射手段の中間に設けられている
ことを特徴とする音響再生システム。
【請求項６】
請求項１から５のいずれかに記載の音響再生システムであって、
前記第一の音響放射手段は、前記第二及び第三の音響放射手段の後方に位置している
ことを特徴とする音響再生システム。
【請求項７】
請求項１から６のいずれかに記載の音響再生システムであって、
前記第一の音響放射手段は、該第一の音響放射手段の空間的な広がりに関して固定された周波数の出力を供給する
ことを特徴とする音響再生システム。
【請求項８】
請求項１から７のいずれかに記載の音響再生システムであって、
前記第二の音響放射手段と前記第三の音響放射手段とのうちの一つは、該第二及び第三の音響放射手段の空間的な広がりに関して固定された周波数の出力を供給する
ことを特徴とする音響再生システム。
【請求項９】
請求項１から８のいずれかに記載の音響再生システムであって、
該音響再生システムは、聴取者の頭部伝達関数に基づいて設計されている
ことを特徴とする音響再生システム。
【請求項１０】
請求項１から９のいずれかに記載の音響再生システムであって、
変換器の動作周波数／方位角範囲が次の式で定義されていることを特徴とする音響再生システム。
【数１２】
2010532614.tif 000001
【請求項１１】
請求項３に記載の音響再生システムであって、
両耳間の等価間隔Δｒの値に次の式を用いて頭部の回折補正係数が適用されたことを特徴とする音響再生システム。
【数１３】
2010532614.tif 000002
【請求項１２】
請求項１０に記載の音響再生システムであって、
2010532614.tif 000003
であることを特徴とする音響再生システム。
【請求項１３】
請求項１０に記載の音響再生システムであって、
2010532614.tif 000004
であることを特徴とする音響再生システム。
【請求項１４】
請求項１０に記載の音響再生システムであって、
2010532614.tif 000005
であることを特徴とする音響再生システム。
【請求項１５】
請求項１０に記載の音響再生システムであって、
2010532614.tif 000006
であることを特徴とする音響再生システム。
【請求項１６】
請求項１から１５のいずれかに記載の音響再生システムであって、
前記第二及び第三の音響放射手段のうちの少なくとも一つは、引き伸ばされた形の変換器手段の領域部分で構成されている
ことを特徴とする音響再生システム。
【請求項１７】
請求項１５に記載の音響再生システムであって、
前記引き伸ばされた形の変換器手段は、
複数の細長い音響放射部材であって、各部材の音響放射面が、近位端と遠位端とを有し、前記第二及び第三の音響放射手段の前記近位端が、正中面に近い、複数の細長い音響放射部材と、
前記近位端に隣接する前記部材に取り付けられた、前記駆動出力信号に応じて、前記部材に振動を与えるための加振手段と
を備え、
高い周波数の振動が前記部材に沿って前記遠位端に向かって伝播することが抑制されることで、前記面の前記近位端が前記遠位端よりも高い周波数で振動するような、前記部材の振動伝達特性が選択されている
ことを特徴とする音響再生システム。
【請求項１８】
請求項１５または請求項１６に記載の音響再生システムであって、
前記引き伸ばされた形の変換器の放射部の位置は、周波数に応じて連続的に変化するように配置されている
ことを特徴とする音響再生システム。
【請求項１９】
請求項１から１５のいずれかに記載の音響再生システムであって、
前記変換器駆動手段は、適当な周波数帯域の信号を適当な音響放射器に分配するためのクロスオーバー・フィルタを備え、
前記クロスオーバー・フィルタは、前記フィルタ手段の逆フィルタ手段
2010532614.tif 000007
の出力に応答する
ことを特徴とする音響再生システム。
【請求項２０】
請求項１から１５のいずれかに記載の音響再生システムであって、
前記変換器駆動手段は、適当な周波数帯域の信号を適当な音響放射器に分配するためのクロスオーバー・フィルタを備え、
前記フィルタ手段の逆フィルタ手段
2010532614.tif 000008
は、前記クロスオーバー・フィルタの出力
2010532614.tif 000009
に応答する
ことを特徴とする音響再生システム。
【請求項２１】
請求項１から２０のいずれかに記載の音響再生システムであって、
前記フィルタ手段は、逆問題の最小ノーム解として設計される
ことを特徴とする音響再生システム。
【請求項２２】
請求項１から２１のいずれかに記載の音響再生システムであって、
前記フィルタ手段は、擬似逆フィルタ手段として構成されている
ことを特徴とする音響再生システム。
【請求項２３】
請求項１から２２のいずれかに記載の音響再生システムであって、
前記フィルタ手段は、適応フィルタを備えるように構成されている
ことを特徴とする音響再生システム。
【請求項２４】
請求項１から２３のいずれかに記載の音響再生システムであって、
前記フィルタ手段は、いずれかの周波数範囲において、前記駆動出力信号にレギュラライゼーションを適用するように構成されている
ことを特徴とする音響再生システム。
【請求項２５】
請求項１から２４のいずれかに記載の音響再生システムであって、
サブ・ウーファを備えている
ことを特徴とする音響再生システム。
【請求項２６】
請求項１から２５のいずれかに記載の音響再生システムであって、
前記第一の音響放射手段と、前記第二の音響放射手段と、前記第三の音響放射手段とのための音響放射器の数は、互いに異なる、音響放射器の数を含んでいる
ことを特徴とする音響再生システム。
【請求項２７】
請求項１から２６のいずれかに記載の音響再生システムであって、
前記第一の音響放射手段は、クロスオーバー・フィルタなしに単一の音響放射器を備えている
ことを特徴とする音響再生システム。
【請求項２８】
電気音響変換器設備であって、
中間音響放射チャンネルを提供する第一の音響放射器と、
左音響放射チャンネルを提供する第二の音響放射器と、
右音響放射チャンネルを提供する第三の音響放射器と
を備え、
前記第一の音響放射器は、前記第二及び第三の音響放射器の間に位置し、
前記第一、第二及び第三の音響放射器はそれぞれ、周波数帯域を放射するように配置され、
前記第二及び第三の音響放射器のうちの少なくとも一つは、異なる方位角位置の各々から異なる周波数が放射されるように配置され、前記第一の音響放射手段の近くから放射される周波数帯域が、前記第一の音響放射手段から離れたところから放射される周波数帯域に含まれる周波数よりも高い周波数を含み、前記第一の音響放射手段が、同一の方位角位置を含む所定の領域から周波数帯域を放射するように配置されている
ことを特徴とする電気音響変換器設備。
【請求項２９】
複数チャンネルの録音に応答して電気音響変換器設備を駆動する変換器駆動部であって、
前記変換器駆動部は、録音空間内の聴取者の耳の位置に対する前記電気音響変換器設備の特性及び所望の位置に対応して、前記録音空間の前記聴取者の耳の位置に存在する局所的な音場を近似した音場を前記聴取者の位置に再現するように構成されたフィルタ装置を備え、
前記変換器駆動部は、中間音響放射チャンネルを提供する第一の音響放射器と、左音響放射チャンネルを提供する第二の音響放射器と、右音響放射チャンネルを提供する第三の音響放射器とを備える前記電気音響変換器設備を用いるように構成され、
前記第一の音響放射器は、前記第二及び第三の音響放射器の間に位置し、
前記第二及び第三の音響放射器のうちの少なくとも一つは、異なる方位角位置の各々から異なる周波数が放射されるように配置され、前記第一の音響放射手段の近くから放射される周波数帯域が、前記第一の音響放射手段から離れたところから放射される周波数帯域に含まれる周波数よりも高い周波数を含み、前記第一の音響放射手段が、同一の方位角位置を含む所定の領域から周波数帯域を放射するように配置されている
ことを特徴とする変換器駆動部。